(57)【要約】【課題】間欠ワイパの作動周期を随意に、かつ、即時に制御できるようにする。【解決手段】作動選択装置１からの間欠信号に基づきコントロールユニット２がワイパ駆動用モータ３を間欠作動させているとき、入力装置４から記憶装置５へトリガ信号を送ると、そのトリガ信号が送られる直前のモータ３の作動開始時からトリガ信号までの経過時間信号が記憶装置５から作動選択装置１へ送られ、作動選択装置１が上記経過時間を新たな間欠間隔とする間欠信号をコントロールユニット２へ出力し、それ以後は、新たな間欠間隔でモータ３が間欠作動するように構成されている。【選択図】        図１
2004345369.tif 000002
【特許請求の範囲】
【請求項１】
ワイパ駆動用モータと、上記モータの作動周期を設定する間欠信号の発生手段と、上記発生手段が出力した間欠信号に応じて上記モータを間欠的に作動させるコントロールユニットと、上記発生手段に対する指示信号の入力手段とを有し、上記モータによるワイパの間欠作動中に上記入力手段から上記発生手段へ指示信号が入力されたとき、上記指示信号が入力される直前の上記モータ作動時から上記指示信号が入力されたときまでの経過時間を新たな間欠間隔とした間欠信号を上記発生手段が出力するように構成された間欠ワイパ。
【発明の詳細な説明】
【０００１】
【発明の属する技術分野】
本発明は、車両等に装備され、作動周期の制御可能な間欠ワイパに関する。
【０００２】
【従来の技術】
従来の車両用間欠ワイパは、作動周期の制御自体が一般的に段階的に行われるため、とくに、雨の降り始め時等には、間欠ワイパの作動周期を運転者の好みと正確に合わせることができるとは限らないという問題があり、また、間欠ワイパの作動周期を無段階的に制御できる場合であっても、作動周期の制御を何回か試行して、運転者の好みに合う作動周期に合わせる必要があって、降雨状態の変化にその都度即応させることが必ずしも容易でないという不具合があった。
【０００３】
作動周期の制御可能な間欠ワイパとして、下記特許文献１及び特許文献２に記載されたものが従来から知られている。
【０００４】
【特許文献１】
実公平３−１５４１１号公報
【特許文献２】
特開平１０−３１５９１９号公報
【０００５】
【発明が解決しようとする課題】
本発明は、間欠ワイパの作動周期を随意に、かつ、即時に制御できるようにしようとするものである。
【０００６】
【課題を解決するための手段】
このため、本発明にかかる間欠ワイパは、ワイパ駆動用モータと、上記モータの作動周期を設定する間欠信号の発生手段と、上記発生手段が出力した間欠信号に応じて上記モータを間欠的に作動させるコントロールユニットと、上記発生手段に対する指示信号の入力手段とを有し、上記モータによるワイパの間欠作動中に上記入力手段から上記発生手段へ指示信号が入力されたとき、上記指示信号が入力される直前の上記モータ作動時から上記指示信号が入力されたときまでの経過時間を新たな間欠間隔とした間欠信号を上記発生手段が出力するように構成されている。
【０００７】
すなわち、モータによるワイパの間欠作動中に入力手段から発生手段へ指示信号が入力されたとき、指示信号が入力される直前のモータ作動時から指示信号が入力されたときまでの経過時間を新たな間欠間隔とした間欠信号を発生手段が出力し、それ以後は、コントロールユニットが新たな間欠間隔でモータを間欠的に作動させるので、指示信号が入力される直前のモータ作動時から指示信号を入力するまでの経過時間を調整することにより、モータの作動周期を随意に、かつ、即時に制御できることとなる。
【０００８】
【発明の実施の形態】
以下、図面に示す本発明の実施形態例について説明する。
図１において、車両用ワイパの作動選択装置１は、Ｌｏｗ信号、Ｈｉ信号、もしくは、間欠信号をコントロールユニット２へ出力し、間欠信号を出力する場合には、設定された間欠間隔、すなわち、図示しない既存のインターバル調整スイッチにより設定されたワイパの作動周期も上記間欠信号に含まれている。
【０００９】
コントロールユニット２は、作動選択装置１からＬｏｗ信号を受けたとき、ワイパ駆動用モータ３を連続的に低速作動させてワイパを連続的に低速駆動させ、作動選択装置１からＨｉ信号を受けたとき、ワイパ駆動用モータ３を連続的に高速作動させてワイパを連続的に高速駆動させ、作動選択装置１から間欠信号を受けたとき、ワイパ駆動用モータ３を設定された時間間隔で間欠的に作動させてワイパを設定された周期で間欠的に駆動させる。
【００１０】
また、入力装置４は、ワイパの間欠作動中に、ワイパの１回作動制御のように運転者がワイパレバーを手前に引いたり、あるいは、間欠制御専用のスイッチを操作すること等によりトリガ信号を記憶装置５へ送り、記憶装置５は後記のようにトリガ信号に基づく経過時間信号等を作動選択装置１へ送って、作動選択装置１が新たな間欠信号をコントロールユニット２へ出力するように構成されている。
【００１１】
次に、上記装置の作用を図２の制御フローチャート及び図３の作動図により説明する。
【００１２】
ステップＳ１において、作動選択装置１がワイパ作動の間欠信号をコントロールユニット２へ出力しているかどうかがコントロールユニット２によりチェックされ、間欠信号が出力されていなければステップＳ２へ移行して、モータ３が停止し、または、コントロールユニット２からの信号によりモータ３が連続的に低速作動もしくは高速作動するが、間欠信号が出力されていればステップＳ３へ進み、図３（ａ）のように、作動選択装置１が間欠信号の一部としてコントロールユニット２へ出力するトリガ信号Ａ、Ａ´の時間間隔ΔＴ、すなわち、モータ３及びワイパの作動周期がΔＴとなるように、コントロールユニット２がモータ３を間欠的に作動させて、ワイパが間欠的に駆動される。
【００１３】
次のステップＳ４では、作動選択装置１からコントロールユニット２へトリガ信号Ａが出力されて、モータ３が作動を開始するときＴ０  からの経過時間が記憶装置５により計測及び記憶されてからステップＳ５へ進み、モータ３を次に作動させるトリガ信号Ａ´が作動選択装置１から出力される前に入力装置４から記憶装置５へ新たに制御トリガ信号Ｂが送られているかどうかが作動選択装置１によりチェックされ、図３（ｂ）のように記憶装置５へ制御トリガ信号Ｂが送られていればステップＳ６へ進み、制御トリガ信号Ｂが送られる直前におけるトリガ信号Ａの出力時、すなわち、モータ３の作動開始時Ｔ０  から制御トリガ信号Ｂが送られたときまでの経過時間Δｔを記憶装置５が計測して、作動選択装置１へ経過時間Δｔの信号が送られ、作動選択装置１はトリガ信号Ａの時点Ｔ０  から経過時間Δｔをモータ３の新たな間欠作動時間間隔に変更した間欠信号をコントロールユニット２へ出力する。
【００１４】
ステップＳ７では、コントロールユニット２は図３（ｃ）のように作動選択装置１から出力されたトリガ信号Ｃに基づき、制御トリガ信号Ｂと同時にモータ３を作動させると共に、その後はモータ３を経過時間Δｔの時間間隔で間欠的に作動させて、ワイパが経過時間Δｔの周期で間欠的に駆動される。
【００１５】
次のステップＳ８では、モータ３による経過時間Δｔの間欠作動が維持されているかどうかがコントロールユニット２によりチェックされ、経過時間Δｔの間欠作動が維持されていればステップＳ９へ進んで、コントロールユニット２がモータ３を経過時間Δｔの時間間隔で間欠的に作動させて、ワイパが経過時間Δｔの周期で間欠的に駆動され続ける。
【００１６】
ステップＳ５において記憶装置５へ制御トリガ信号Ｂが送られていないとき、及び、ステップＳ８において経過時間Δｔの間欠作動が維持されていないときには、それぞれステップＳ１０へ移行し、既存のインターバル調整スイッチにより設定されたとおりモータ３を通常の間欠作動状態に戻して、ワイパを通常のように間欠作動させることとなる。
【００１７】
すなわち、上記装置においては、モータ３によるワイパの間欠作動中に車両の運転者が入力装置４を操作して制御トリガ信号Ｂを記憶装置５へ送らせれば、それ以後はワイパの間欠作動中である限り、制御トリガ信号Ｂが送られる直前におけるモータ３の作動開始時間Ｔ０  から制御トリガ信号Ｂまでの経過時間Δｔを新たな時間間隔としてモータ３を間欠作動させ、ワイパはその時間間隔で間欠作動するので、ワイパが作動してから次にワイパを作動させたいタイミングを運転者が入力装置４を操作して容易に、かつ、正確に調整することができ、しかも、ワイパの好ましい作動周期を随意に、かつ、即時に決めることができることとなる。
【００１８】
従って、降雨状態の変化等にその都度即応してワイパの作動周期を適宜制御することが可能となるため、ワイパの使い勝手が実用上非常に便利となる大きな長所がある。
【００１９】
また、上記装置は、既存の装置にわずかな変更を加えるのみで簡単に構成させることが可能であるため、上記装置を採用してもコストアップを容易に抑制することができて、実用性が高いという利点もそなえている。
【００２０】
なお、モータ３の間欠作動時間Δｔをさらに短縮させたい場合には、モータ３が作動してから経過時間Δｔよりもさらに短い時間内に入力装置４から記憶装置５へ新たな制御トリガ信号を送るようにすればよく、また、既存のインターバル調整スイッチ等を操作することによりモータ３を通常の間欠作動状態へ戻し、あるいは、コントロールユニット２の操作により間欠作動時間をさらに長くするように調整することが可能である。
【００２１】
【発明の効果】
本発明にかかる間欠ワイパにあっては、モータによるワイパの間欠作動中に入力手段から発生手段へ指示信号が入力されることにより、コントロールユニットが新たな間欠間隔でモータを間欠的に作動させて、モータの作動周期を随意に、かつ、即時に制御できるので、降雨状態の変化等に即応してワイパの作動周期を適宜制御することが可能となり、大層便利である。
【図面の簡単な説明】
【図１】本発明の実施形態例における構成ブロック図。
【図２】上記実施形態例の制御フローチャート。
【図３】上記実施形態例の作動説明図。
【符号の説明】
１  作動選択装置
２  コントロールユニット
３  モータ
４  入力装置
５  記憶装置
【図１】
2004345369.tif 000003
【図２】
2004345369.tif 000004
【図３】
2004345369.tif 000005